(57)【要約】【課題】編集機能を設け、本体にセットされているＤＶＤに記録されている映像を本体の表示部に表示して編集することで使い勝手を向上させたテレビ一体型ＤＶＤ装置を提供する。【解決手段】テレビ一体型ＤＶＤ装置１は、ＤＶＤ１５に記録されている映像を編集する編集部９を備えている。したがって、ＤＶＤ１５に記録されている映像の編集が他の装置を使用することなく行えるので、映像の通信にかかる負荷がかからず、またＤＶＤ１５に記録されている映像の編集がスムーズに行え、編集作業にかかる時間が短縮され、ユーザの使い勝手の向上が図れる。【選択図】図１
2004312404.tif 000002
【特許請求の範囲】
【請求項１】
テレビ放送信号を受信し、選択されているチャンネルで放送されている番組の映像信号、および音声信号を抽出して出力する受信手段と、
本体にセットされたＤＶＤに記録されているＡＶデータを読み取り、再生映像信号、および再生音声信号を生成し、出力する再生手段と、
上記受信手段が出力した映像信号に基づく映像、または上記再生手段が出力した再生映像信号に基づく映像を表示する表示手段と、を備えたテレビ一体型ＤＶＤ装置において、
上記表示手段に表示している映像を、入力手段からの入力に応じて編集する編集手段と、
上記編集手段により編集された映像を本体にセットされているＤＶＤに記録する記録手段と、を備え、
上記入力手段は、文字キーを有するキーボード、およびポインティングデバイスからの無線による入力を受け付ける入力インタフェースを有するテレビ一体型ＤＶＤ装置。
【請求項２】
テレビ放送信号を受信し、選択されているチャンネルで放送されている番組の映像信号、および音声信号を抽出して出力する受信手段と、
本体にセットされたＤＶＤに記録されているＡＶデータを読み取り、再生映像信号、および再生音声信号を生成し、出力する再生手段と、
上記受信手段が出力した映像信号に基づく映像、または上記再生手段が出力した再生映像信号に基づく映像を表示する表示手段と、を備えたテレビ一体型ＤＶＤ装置において、
上記表示手段に表示している映像を、入力手段からの入力に応じて編集する編集手段と、
上記編集手段により編集された映像を本体にセットされているＤＶＤに記録する記録手段と、を備えたテレビ一体型ＤＶＤ装置。
【請求項３】
上記入力手段は、文字キーを有するキーボード、およびポインティングデバイスからの入力を受け付ける入力インタフェースを有する請求項２に記載のテレビ一体型ＤＶＤ装置。
【請求項４】
上記入力手段は、文字キーを有するキーボード、およびポインティングデバイスからの無線による入力を受け付ける入力インタフェースを有する請求項２に記載のテレビ一体型ＤＶＤ装置。
【発明の詳細な説明】
【０００１】
【発明の属する技術分野】
この発明は、テレビ放送を受信し、放送されている番組の映像および音声を出力するテレビに、本体にセットされたＤＶＤに記録されている映像および音声を再生するＤＶＤ装置を組み込んだテレビ一体型ＤＶＤ装置に関する。
【０００２】
【従来の技術】
従来、ビデオテープ、ＤＶＤ、ＶＣＤ、ハードディスク等の記録媒体に記録している映像の編集は、パーソナルコンピュータ（以下、単にパソコンと言う。）で行われていた。パソコンにおける映像の編集は、以下に示す手順で行われる。
【０００３】
まず、映像を記録した記録媒体から映像を読み取り、出力する映像記録装置（再生機能を有する。）をパソコンに接続し、この映像記録装置からパソコンへ記録媒体に記録されている映像を送信する。ユーザは、パソコンの表示部に、送信されてきた映像を表示し、インストールされている編集ソフトで映像を編集する。ユーザは、文字キーを有するキーボードやポインティングデバイスであるマウスを操作して、パソコンの表示部に表示された映像を見ながら、この映像を編集する。映像の編集としては、映像にタイトルを付けたり、映像の一部を切り取ったり、映像の一部に別の映像を貼り付け等が一般的である。
【０００４】
パソコンにおける映像の編集が完了すると、編集した映像をパソコンから映像記録装置（この装置は、編集する映像をパソコンに入力した装置であってもよいし、別の装置であってもよい。）に送信する。パソコンから映像が送信されてきた映像記録装置において、この編集された映像を記録媒体に記録する。
【０００５】
このように、パソコンで映像を編集する場合、映像記録装置からパソコンへ編集前の映像を送信する通信、およびパソコンから映像記録装置へ編集後の映像を送信する通信（２度の通信）が行われる。一般的な映像データのデータ量は、数十メガバイト〜数ギガバイトと大きく、映像記録装置と、パソコンとの間で行われる映像の通信にかかる負荷が大きく、且つ時間がかかるという問題があった。
【０００６】
上述の問題に対して、記録媒体に記録されている映像の編集において、映像記録装置とパソコンとの間における映像の通信負荷を抑える編集システムが特許文献１、２等で提案されている。
【０００７】
【特許文献１】
特開２００１−４５４２９号公報
【特許文献２】
特開２００１−２９１３７０号公報
【０００８】
【発明が解決しようとする課題】
最近、映像記録装置であるＤＶＤ装置（再生機能を有する。）をテレビ受像機に組み込んだテレビ一体型ＤＶＤ装置が実用化されている。
【０００９】
しかしながら、従来のテレビ一体型ＤＶＤ装置は、本体にセットされたＤＶＤに記録されている映像の再生、およびＤＶＤへの映像の記録が行えるだけで、ＤＶＤに記録されている映像を編集することができなかった（映像を編集する機能が設けられていなかった。）。
【００１０】
言い換えれば、テレビ一体型ＤＶＤ装置のユーザであっても、本体に設けられている表示部にＤＶＤに記録されている映像を表示させて、この映像を編集することができない。したがって、ＤＶＤに記録されている映像の編集を行うには、従来のように編集ソフトをインストールしたパソコンを使用しなければならない。このように、テレビ一体型ＤＶＤ装置は、映像を表示する表示部があるにもかかわらず、本体でＤＶＤに記録されている映像の編集が行えず使い勝手が良くないという問題があった。
【００１１】
この発明の目的は、本体に編集機能を設けることで、本体にセットされているＤＶＤに記録されている映像を本体の表示部に表示して編集できるようにすることで使い勝手を向上させたテレビ一体型ＤＶＤ装置を提供することにある。
【００１２】
また、この発明は、映像の編集にかかる入力操作を、文字キーを有するキーボードやマウス等のポインティングデバイスで行えるようにすることで、映像の編集にかかる操作性の低下を抑えたテレビ一体型ＤＶＤ装置を提供することを目的とする。
【００１３】
【課題を解決するための手段】
この発明のテレビ一体型ＤＶＤ装置は、上記課題を解決するために以下の構成を備えている。
【００１４】
テレビ放送信号を受信し、選択されているチャンネルで放送されている番組の映像信号、および音声信号を抽出して出力する受信手段と、
本体にセットされたＤＶＤに記録されているＡＶデータを読み取り、再生映像信号、および再生音声信号を生成し、出力する再生手段と、
上記受信手段が出力した映像信号に基づく映像、または上記再生手段が出力した再生映像信号に基づく映像を表示する表示手段と、を備えたテレビ一体型ＤＶＤ装置において、
上記表示手段に表示している映像を、入力手段からの入力に応じて編集する編集手段と、
上記編集手段により編集された映像を本体にセットされているＤＶＤに記録する記録手段と、を備えている。
【００１５】
この構成では、編集手段が入力手段からの入力に応じて、表示手段に表示している映像を編集する。また、記録手段が、編集手段により編集された映像を本体にセットされているＤＶＤに記録する。したがって、ＤＶＤに記録されている映像の編集が、従来のようにパーソナルコンピュータ（以下、単にパソコンと言う。）を使用することなく、本体で行えるので使い勝手を向上させることができる。また、パソコンを使用しないので、装置本体とパソコンとの間で映像の通信が行われることもなく、映像の編集にかかる時間を短縮できる。
【００１６】
また、映像の編集では、多くの場合、映像にタイトルを付けたり、映像の一部を切り取ったり、映像の一部に別の映像を貼り付けることが行われるので、文字キーを有するキーボードや、マウス等のポインティングデバイスで編集時の入力操作が行えるように構成することで、編集時の操作性の低下も防止できる。
【００１７】
さらに、キーボードやポインティングデバイスからの入力を、無線（赤外線や電磁波）で行うように構成すれば、キーボードやポインティングデバイスからの入力を受け付けるインタフェースをハードを変更することなく、ソフトの変更で対応できるので、本体のコストアップを抑えることができる。
【００１８】
なお、一般的なテレビ一体型ＤＶＤ装置は、チャンネルの切り換え、本体にセットされているＤＶＤの再生、停止、音量の調整等、本体に対する入力がリモコンで行えるように、リモコンから無線で送信されてきたコードを受信する受信部を備えている。したがって、この受信部で受信したコードを処理するソフトの変更で、キーボードやポインティングデバイスからの入力を受け付けることができる。
【００１９】
【発明の実施の形態】
以下、この発明の実施形態であるテレビ一体型ＤＶＤ装置について説明する。
【００２０】
図１は、この発明の実施形態であるテレビ一体型ＤＶＤ装置の主要部の機能構成を示す図である。この実施形態のテレビ一体型のＤＶＤ装置１は、テレビ放送信号を受信し、選択されているチャンネルで放送されている番組の映像の表示および音声の出力を行うテレビ機能、および本体にセットされているＤＶＤ１５に記録されているＡＶデータを読み取り、このＡＶデータに基づく映像の表示および音声の出力を行うＤＶＤ再生機能、外部から入力された映像および音声（テレビ放送の番組の映像および音声を含む）に基づくＡＶデータをＤＶＤ１５に記録するＤＶＤ記録機能、ＤＶＤ１５に記録されているＡＶデータの映像を編集する編集機能を有している。
【００２１】
図１において、２は本体の動作を制御する制御部である。３は、アンテナ１６で受信したテレビ放送信号から選択されているチャンネルで放送されている番組の映像信号および音声信号を抽出し、出力する受信部、所謂チューナ、である。４はＤＶＤ１５に記録されているＡＶデータの読み取り、およびＤＶＤ１５に対するＡＶデータの記録を行う読取／記録部である。一般的なＤＶＤ１５には、ＭＰＥＧ２形式でエンコードされたＡＶデータが記録されている。この読取／記録部４には、ＤＶＤ１５にレーザ光を照射し、その反射光を検出するピックアップヘッドが設けられている。５は読取／記録部４がＤＶＤ１５から読み取ったＡＶデータをデコードするＡＶデータ処理部であり、６はＤＶＤ１５に記録するＡＶデータを生成するＡＶデータ生成部である。ＡＶデータ生成部６は、受信部３で受信されたテレビ放送信号や、外部機器から入力されたＡＶ信号をＭＰＥＧ２形式でエンコードする。７は、表示部８における映像の表示を制御する表示制御部である。表示制御部７には、受信部３で受信されたテレビ放送信号や、ＡＶデータ処理部５でデコードされたＡＶ信号が入力される。９は、表示部８に表示されている映像を編集する編集部である。
【００２２】
なお、ＤＶＤ１５から読み取ったＡＶデータに基づく音声については、本体に設けられたスピーカ（不図示）から放音される。また、以下の説明においては、本体からの音声出力については説明を省略する。
【００２３】
また、１０は、本体に対する入力を受け付ける入力部である。入力部１０には、本体に対する入力操作を行う操作部、および赤外線または電磁波で送信されてきたコードを受信する受信部が設けられている。上記受信部に対してコードを送信する入力機器は、文字キーを有するキーボード１１および、ポインティングデバイスであるマウス１２である。キーボード１１、およびマウス１２は、パーソナルコンピュータ（以下、パソコンと言う。）の入力部として一般に利用されているものである。
【００２４】
なお、本体に対してコードを無線（赤外線や電磁波）で送信するキーボードやマウスは、すでに実用化されている。
【００２５】
次に、この実施形態のテレビ一体型ＤＶＤ装置１の動作について説明する。テレビ一体型ＤＶＤ装置１における、上記テレビ機能、ＤＶＤ再生機能、ＤＶＤ記録機能にかかる動作については、従来の装置と同じであり、周知であるので簡単に説明する。まず、テレビ機能について説明する。テレビ一体型ＤＶＤ装置１は、アンテナ１６で受信されているテレビ放送信号が受信部３に入力されている。受信部３は、ユーザにより選択されているチャンネルのテレビ放送信号を抽出し、これを表示制御部７に入力する。表示制御部７はこの入力されたテレビ放送信号に基づく映像を表示部８に表示する。受信部３が抽出するチャンネルは制御部２により指示され、制御部２は入力部１０におけるチャンネルの選択入力に応じて受信部３に対してテレビ放送信号を抽出するチャンネルを指示する。
【００２６】
ＤＶＤ記録機能について説明する。ここでは、受信部３で抽出されたテレビ放送信号に基づく映像、および音声をＤＶＤ１５に記録するときの動作について説明する。受信部３で抽出されたチャンネルのテレビ放送信号は、ＡＶデータ生成部６に入力される。図１では、受信部３から表示制御部７、編集部９を介してＡＶデータ生成部６にテレビ放送信号が入力される例を示しているが、受信部３から直接ＡＶデータ生成部６にテレビ放送信号が入力されるように構成してもよい。ＡＶデータ生成部６は、入力されたテレビ放送信号をＭＰＥＧ２形式でエンコードしたＡＶデータを生成し、エンコードしたＡＶデータを読取／記録部４に入力する。読取／記録部４は、入力されたＡＶデータに基づいてピックアップヘッドからＤＶＤ１５に照射するレーザ光の出力レベルを制御し、ＤＶＤ１５にＡＶデータを記録する。
【００２７】
ＤＶＤ再生機能について説明する。読取／記録部４は、ＤＶＤ１５に対してピックアップヘッドから所定の出力レベルのレーザ光を照射し、その反射光を検出する。読取／記録部４は、上記反射光のレベル波形をＡＶデータ処理部５に入力する。ＡＶデータ処理部５は、入力された反射光のレベル波形から、ＤＶＤ１５に記録されているＭＰＥＧ２形式でエンコードされているＡＶデータを検出し、ここで検出したＡＶデータをデコードし、デコードしたＡＶデータを出力する。ＡＶデータ処理部５から出力されたＡＶデータは、編集部９を介して表示制御部７に入力される。編集部９では、入力されたＡＶデータに含まれている映像のデータが展開される。また、表示制御部７は、入力されたＡＶデータに基づく映像を表示部８に表示する。
【００２８】
次に、編集機能について説明する。テレビ一体型ＤＶＤ装置１は、編集機能が選択されると、上記の読取機能で説明したように、読取／記録部４において本体にセットされているＤＶＤ１５に記録されているＡＶデータを読み取る。ＤＶＤ１５から読み取ったＡＶデータは、ＡＶデータ処理部５に入力される。ＡＶデータ処理部５は、入力されたＡＶデータをデコードし出力する。ＡＶデータ処理部５から出力されたＡＶデータは、編集部９を介して表示制御部７に入力される。表示制御部７は、この入力されたＡＶデータに基づく映像を表示部８に表示する。編集部９では、表示部８に表示している映像の映像データを展開している。
【００２９】
ユーザは、表示部８に表示されている映像を見ながら、この映像に対する編集作業を行う。例えば映像にタイトルを付けたり、映像の一部を切り取ったり、映像の一部に別の映像を貼り付ける、編集を行う。この映像の編集において、ユーザはキーボード１１およびマウス１２を操作する。
【００３０】
例えば、映像にタイトルをつける編集を行う場合、キーボード１１の文字キーを操作して、タイトルを入力する。キーボード１１は、操作された文字キーに応じたコードをテレビ一体型ＤＶＤ装置１に無線で送信する。テレビ一体型ＤＶＤ装置１は、入力部１０に設けられた受信部において、キーボード１１から送信されてきたコードを受信する。テレビ一体型ＤＶＤ装置１は、編集部９において編集中の映像（表示部８に表示されている映像）に、入力部１０の受信部において受信したコードに応じた文字を重ね合わせた編集映像が生成される。この編集映像は、表示制御部７を介して表示部８に表示される。
【００３１】
また、表示部８に表示されている映像に対して、キーボード１１を操作して入力した文字を重ね合わせる位置を指定する操作は、マウス１２により行える。
【００３２】
また、表示部８に表示されている映像の一部を切り取る編集を行う場合、切り取る領域をマウス１２で指定する。さらに、表示部８に表示されている映像の一部に別の映像を貼り付ける編集を行う場合、映像を貼り付ける領域をマウス１２で指定しする。
【００３３】
なお、マウス１１は、表示部８に表示されているカーソルの位置情報を無線信号で出力する。マウス１２から出力されるカーソルの位置情報は、入力部１０に設けられた受信部において受信される。
【００３４】
また、表示部８に表示されている映像（編集されている映像）は、編集部９の画像メモリに記憶されている。
【００３５】
ユーザは、表示部８に表示されている映像を確認しながら、ＤＶＤ１５に記録されている映像を所望の映像に編集する。ユーザは、映像の編集が完了すると、編集した映像を本体にセットされているＤＶＤ１５に記録する操作を行う。この操作は、キーボード１１、またはマウス１２の操作で行える。テレビ一体型ＤＶＤ装置１は、映像の編集が完了し、編集した映像の記録が指示されると、表示部８に表示している映像を本体にセットされているＤＶＤ１５に記録する。編集された映像のデータは、上述のように編集部９に記憶されている。この編集された映像のデータが、上記の記録機能で説明したように、ＡＶデータ生成部６に入力され、ＭＰＥＧ２形式でエンコードされる。読取／記録部４が、このエンコードされたデータをＤＶＤ１５に記録する。
【００３６】
このように、この実施形態のテレビ一体型ＤＶＤ装置１は、本体にセットされているＤＶＤ１５に記録されている映像の編集を、従来のようにパソコン等、他の装置を使用することなく行えるので、ＤＶＤ１５に記録されている映像を編集する際に、他の装置との間で映像の通信が行われることがない。したがって、映像の通信にかかる負荷がかからない。また、他の装置との映像の通信が行われないので、ＤＶＤ１５に記録されている映像の編集がスムーズに行え、編集作業にかかる時間も短縮され、ユーザの使い勝手の向上が図れる。
【００３７】
また、編集時にユーザが操作する操作部を、文字キーを有するキーボード１１、およびポインティングデバイスであるマウス１２としたので、映像の編集において文字の入力や、映像を切り取ったり、別の映像を貼り付ける領域指定等の操作がスムーズに行え、操作性の低下を抑えることができる。
【００３８】
さらに、使用されるキーボード１１、およびマウス１２を、入力操作に応じたコードを無線で送信するものとしたので、キーボード１１やマウス１２からの入力を受け付けるインタフェースをハードを変更することなく、ソフトの変更で対応でき、本体のコストアップが抑えられる。具体的には、一般的なテレビ一体型ＤＶＤ装置１は、チャンネルの切り換え、本体にセットされているＤＶＤの再生、停止、音量の調整等、本体に対する入力がリモコンで行えるように、リモコンから無線で送信されてきたコードを受信する受信部を備えている。したがって、この受信部で受信したコードを処理するソフトの変更で、キーボード１１やマウス１２からの入力を受け付けることができる。
【００３９】
また、パーソナルコンピュータの入力デバイスとして使用しているキーボード、およびマウスが、上記実施形態で説明した映像の編集時に操作するキーボード１１、およびマウス１２に使用できるようにすれば、映像の編集に操作するキーボード１１、およびマウス１２を別途用意する必要もない。
【００４０】
【発明の効果】
以上のように、この発明によれば、テレビ一体型ＤＶＤ装置に、編集機能を設けたので、ＤＶＤに記録されている映像の編集が他の装置を使用することなく行えるので、映像の通信にかかる負荷がかからず、またＤＶＤに記録されている映像の編集がスムーズに行え、編集作業にかかる時間が短縮され、ユーザの使い勝手の向上が図れる。
【００４１】
また、編集時にユーザが操作する操作部を、文字キーを有するキーボード、およびポインティングデバイスとしたので、映像の編集において文字の入力や、映像を切り取ったり、別の映像を貼り付ける領域指定等の操作がスムーズに行え、操作性の低下を抑えることができる。
【００４２】
さらに、使用されるキーボード、およびポインティングデバイスを、入力操作に応じたコードを無線で送信するものとしたので、キーボードやポインティングデバイスからの入力を受け付けるインタフェースをハードを変更することなく、ソフトの変更で対応でき、本体のコストアップが抑えられる。
【図面の簡単な説明】
【図１】この発明の実施形態であるテレビ一体型ＤＶＤ装置の主要部の機能構成を示す図である。
【符号の説明】
１−テレビ一体型ＤＶＤ装置
２−制御部
３−受信部
４−読取／記録部
５−ＡＶデータ処理部
６−ＡＶデータ生成部
７−表示制御部
８−表示部
９−編集部
１０−入力部
１１−キーボード
１２−マウス
【図１】
2004312404.tif 000003